(57)【要約】【課題】セキュリティ性を高めたＩＣカード装置及びその通信方法を提供することを目的とする。【解決手段】ＩＣカード装置内のメモリ部３０に、ＩＣカード装置からのデータが、ＩＣカードの不揮発性メモリへの書き込みが完了するまでの書き込み処理時間が設定された書き込み時間情報部３１と、ＩＣカードが活性状態から不活性状態になるまでの時間を設定したパワーダウン時間情報部３２を備え、ＩＣカード装置が、ＩＣカードとの通信において、書き込み時間情報部３１と、パワーダウン時間情報部３２を参照することにより、ＩＣカード内の不揮発性メモリの種類を判別し、ＩＣカードの使用の可否を判定することを特徴とする。【選択図】  図１
2004234311.tif 000002
【特許請求の範囲】
【請求項１】
個別情報等の情報データを格納した不揮発性メモリを内蔵したＩＣカード或いはＩＣタグとの間で電磁波により前記情報データの送受信を行うＩＣカード装置において、前記ＩＣカード装置から前記ＩＣカードに対し送信したデータが、前記ＩＣカードの不揮発性メモリに書き込まれるまでの時間が設定された書き込み時間情報部と、ＩＣカードが活性状態から不活性状態になるまでの時間を設定したパワーダウン時間情報部を備えたことを特徴とするＩＣカード装置。
【請求項２】
ＩＣカードに書き込みデータを送信し、前記書き込み時間情報部に設定された時間経過後、キャリアの送出を停止し、前記パワーダウン時間設定部に設定された時間経過後、キャリアを送出し、前記書き込みデータを読み出し、読み出したデータと前記書き込みデータを比較し、前記ＩＣカードの使用の可否を判定することを特徴とするＩＣカード装置の通信方法。
【発明の詳細な説明】
【０００１】
【発明の属する技術分野】
本発明は、ＩＣカード或いはＩＣタグと非接触で情報データを送受信するＩＣカード装置に関するものである。
【０００２】
【従来の技術】
磁気カードに変わる新しい情報記録媒体として、不揮発性メモリを内蔵しＩＣカード装置との通信手段を持つＩＣカード或いはＩＣタグは、既に、一般に普及している。
【０００３】
図５は、従来のＩＣカードとＩＣカード装置のシステム構成を示したものである。
【０００４】
ＩＣカード装置１は、通信の制御を行う制御部２と、制御部２が動作するためのプログラムを格納したメモリ部４と、送信制御部３と、受信制御部７と、送受信回路８と、電磁波によりＩＣカード１０と通信を行うためのアンテナ６とを備え、電源については、外部から電源を電源部５により所望の電圧に変換されたものが使用される。
【０００５】
また、ＩＣカード１０は、通信の制御を行う制御部１６と、制御部１６が動作するためのプログラムを格納したＲＯＭ１７、プログラムが動作する上でワークエリアとして使用するためのＲＡＭ１９、個別情報等の情報データを格納した不揮発性メモリ１８からなるメモリ部１５と、送信部１３と、受信部１４と、電磁波によりＩＣカード装置１と通信を行うためのアンテナ１２とを備え、内部の電源は、アンテナ１２により受信された電力を整流回路２０を介して直流化し、電源部１１に所望の電圧に変換後、各部に供給されている。
【０００６】
また、不揮発性メモリ１８には、通常、ＦｅＲＡＭ、ＥＥＰＲＯＭ、フラッシュメモリ等が使用され、ＩＣカード装置からのコマンドによりデータの書き込みあるいは読み出しをすることができる。
【０００７】
このようなＩＣカードにおける重要な課題は、ＩＣカード内部に記憶された情報のセキュリティ確保であり、この対策として通信データを暗号化する方式などが考案されている（例えば、特許文献１参照）。
【０００８】
【特許文献１】
特開平０２−４４３９０号公報
【０００９】
【発明が解決しようとする課題】
しかしながら、上述した通信に暗号を用いるには暗号化及び復号処理を行う為に新たにハードウェアが必要であり、高価になるとともに、通信速度に関しては、処理が複雑になり、通信速度が遅くなるという課題がある。
【００１０】
また、内部のＲＯＭ及び個別情報を格納した不揮発性メモリの内容をコピーされてしまうことで、模造品を作製することが可能であり、セキュリティの面で、課題がある。
【００１１】
本発明は、上記問題に鑑み、新たなハードウェアを必要とすることなく、従来よりも更にセキュリティを高めたＩＣカード装置及びその通信方法を提供することを目的とする。
【００１２】
【課題を解決するための手段】
上記目的を達成するために、本発明のＩＣカード装置は、前記ＩＣカード装置からＩＣカードに対し送信されたデータが、前記ＩＣカード内部の不揮発性メモリに書き込まれるまでの時間が設定された書き込み時間情報部と、前記ＩＣカードが活性状態から不活性状態になるまでの時間を設定したパワーダウン時間情報部を備えたことを特徴とする。
【００１３】
また、本発明のＩＣカード装置の通信方法は、ＩＣカードに書き込みデータを送信し、前記書き込み時間情報部に設定された時間経過後、キャリアの送出を停止し、前記パワーダウン時間設定部に設定された時間経過後、キャリアを送出し、前記書き込みデータを読み出し、読み出したデータと前記書き込みデータを比較し、前記ＩＣカードの使用の可否を判定することを特徴とする。
【００１４】
このようなＩＣカード装置の通信方法によれば、ＩＣカード内部の不揮発性メモリが所望のメモリか否かを識別することができ、模造品を識別することができる。
【００１５】
【発明の実施の形態】
以下、本発明の実施の形態を、図１乃至図４を参照しながら詳細に説明する。なお、図面を説明するにあたり、従来と同一構成のものに関しては、説明は省略する。
【００１６】
図１は、本発明のＩＣカード装置のメモリ部の内部構成を示す図である。
【００１７】
図１に示されるように、本発明のＩＣカード装置は、メモリ部３０に、ＩＣカード装置からのデータが、ＩＣカードの不揮発性メモリへの書き込みが完了するまでの書き込み処理時間が設定された書き込み時間情報部３１と、ＩＣカードが活性状態から不活性状態になるまでの時間を設定したパワーダウン時間情報部３２を備えたことを特徴とする。
【００１８】
なお、ＩＣカードの書き込み処理時間とは、図２に示されるＩＣカードの制御部が書き込みコマンドを受信し処理する受信処理３６と、不揮発性メモリへの書き込み処理３７と、ＩＣカード装置へ処理が完了したことを通知するための応答処理３８とにかかる各時間の合計時間である。
【００１９】
次に、本発明のＩＣカード装置の通信方法について詳細に説明する。
【００２０】
図３は、本発明のＩＣカード装置の通信方法を示すフローチャートである。
【００２１】
まず、ＩＣカード装置のキャリアを送出し、ＩＣカードを活性化する（ステップＳ１）。ここでいう活性化とは、ＩＣカードが、ＩＣカード装置から通信可能な距離にあり、ＩＣカード装置からの電磁波を受信し、動作可能の状態であることをいう。
【００２２】
次に、ＩＣカードに対し、書き込みコマンドとテストデータを送信し（ステップＳ２）、書き込み時間情報部３１に設定された時間経過後（ステップＳ３）、キャリアの送出を停止し、ＩＣカードを不活性化する（ステップＳ４）。
【００２３】
次に、パワーダウン時間情報部３２に設定された時間経過後（ステップＳ５）、キャリアを送出し、ＩＣカードを活性化する（ステップＳ６）。
【００２４】
次に、データ読み出しコマンドを送信し、ＩＣカードからデータを受信する（ステップＳ７）。
【００２５】
次に、書き込んだデータと読み出したデータを同じか否かを比較し、判定する（ステップＳ８）。
【００２６】
ステップＳ８の判定の結果、同じ場合、書き込み時間の短いメモリと判断し（ステップＳ９）、ステップＳ８の結果、違う場合、書き込み時間の長いメモリと判断する（ステップＳ１０）。
【００２７】
ここで、ステップＳ８の書き込み時間の判定方法について、図４を基に説明する。
【００２８】
図４は、例えば、アクセス時間が数百ｎ秒のＦｅＲＡＭのように書き込み時間の短い不揮発性メモリＡを使用したＩＣカード４１と、アクセス時間が、数ｍ秒のＥＥＰＲＯＭのように、書き込み時間の長い不揮発性メモリＢを使用したＩＣカード４２の動作の違いを示すタイミングチャートである。
【００２９】
図４の中で、ｔ１は、ＩＣカード４１の書き込み処理時間を示し、ｔ２はＩＣカード４２の書き込み処理時間を示す。
【００３０】
また、ｔ３は、書き込み時間情報部３１に設定された時間である。
【００３１】
図４に示されるように、ｔ３をｔ１＜ｔ３＜ｔ２の関係になるように設定すれば、ＩＣカード４１を使用した場合においては、正常に書き込み処理が完了するが、ＩＣカード４２を使用した場合においては、書き込み処理中に、ＩＣカード装置４０が、キャリアの送出を停止することにより、書き込みデータが不完全な状態になり、読み出したデータは、ＩＣカード装置から送信されたデータと異なることになる。つまり、本発明の通信方法によれば、所望の不揮発性メモリがメモリＡの場合、読み出したデータが、書き込んだデータと同じとき、正しいＩＣカードと認識することができる。
【００３２】
また逆に、所望のメモリがメモリＢの場合、読み出したデータが、書き込んだデータと違うときに、正しいＩＣカードと認識することができる。
【００３３】
また、判断結果を、ＬＥＤ等により、表示させることにより、ユーザーは、使用しているＩＣカードが模造品か否かを容易に判断することが可能となる。
【００３４】
また、上記説明では、ＦｅＲＡＭとＥＥＰＲＯＭの比較により説明したが、同じ種類の不揮発性メモリでもアクセスタイムが異なれば、メモリの適否を判別することが可能である。
【００３５】
また、上記説明では、ＩＣカードで説明したが、本発明は、ＩＣタグにも応用できることは言うまでもない。
【００３６】
【発明の効果】
以上詳細に述べたように、本発明のＩＣカード装置の通信方法によれば、書き込み時間の短いメモリを内蔵したＩＣカードとそれよりも書き込み時間の長いメモリを内蔵したＩＣカードとを判別できるため、偽造品あるいは、模造品のＩＣカード或いはＩＣタグを容易に判別することが可能となり、セキュリティの向上を図ることができる。
【００３７】
また、本発明のＩＣカード装置は、新たなハードウェアによる手段を必要とすることなく、製造することが可能である。
【図面の簡単な説明】
【図１】
本発明のＩＣカード装置のメモリ部の構成図
【図２】本発明のＩＣカード装置の書き込み処理時間を示す図
【図３】本発明のＩＣカード装置の通信方法を示すフローチャート
【図４】本発明のＩＣカード装置の通信方法によるメモリ判定方法を示す図
【図５】従来のＩＣカード装置とＩＣカードのシステム構成図
【符号の説明】
１  ＩＣカード装置
２、１６  制御部
４、１５、３０  メモリ部
【図１】
2004234311.tif 000003
【図２】
2004234311.tif 000004
【図３】
2004234311.tif 000005
【図４】
2004234311.tif 000006
【図５】
2004234311.tif 000007